(57)【要約】【課題】摘み等の被取付け物を戸板等に固定した台座に被せて取り付ける際、ねじとねじ孔との面倒な位置合わせを必要とすることなく被取付け物を台座に容易に固定することができる。【解決手段】被取付け物１２を取り付けるべき取付け物体１４に台座１６をねじ止めし、この台座１６に被取付け物１４を被せる。台座１６の内部には、その外周面から突出するようにばね付勢された止めピン２６を有し、被取付け物１２にはこの止めピン２６が係入する係入部３２が形成され、被取付け物１２が台座１６に被せられる際に、止めピン２６をばね付勢に抗して引っ込めるように案内する案内傾斜面３４が設けられている。被取付け物１２を台座１６に被せると、止めピン２６は、この案内傾斜面３４に沿って引っ込められ、被取付け物１２が台座１６に完全に嵌ると、止めピン２６は、ばね２８によって被取付け物１２の係入部３２に係入して被取付け物１２を台座１６に固定する。【選択図】        図１
2006029425.tif 000002
【特許請求の範囲】
【請求項１】
取付け物体に取り付けられ被取付け物が被せられる台座と前記被取付け物を前記台座に固定する固定手段とを備えた被取付け物の取付け部において、前記固定手段は、前記台座の内部に設けられ前記台座の外周面から突出するようにばね付勢された止めピンと、前記被取付け物に形成され前記止めピンが係入する係入部と、前記被取付け物が前記台座に被せられる際に前記止めピンを前記ばね付勢に抗して引っ込めるように案内する案内傾斜面とから成っていることを特徴とする被取付け物の取付け部。
【請求項２】
請求項１に記載の被取付け物の取付け部であって、前記係入部は、貫通孔であることを特徴とする被取付け物の取付け部。
【請求項３】
請求項１又は２に記載の被取付け物の取付け部であって、前記台座及び被取付け物の相互に係合する面は円周面であり、前記止めピンは、前記台座の円周面を径方向に横切って配置されていることを特徴とする被取付け物の取付け部。
【請求項４】
請求項３に記載の被取付け物の取付け部であって、前記被取付け物は、前記台座から突出している止めピンが前記被取付け物に入り込むのを阻止する壁部があり、前記案内傾斜面は、前記壁部と前記係入部との間の内面に設けられていることを特徴とする被取付け物の取付け部。
【請求項５】
請求項５に記載の被取付け物の取付け部であって、前記案内傾斜面は、前記係入部に整列した位置に設けられていることを特徴とする被取付け物の取付け部。
【請求項６】
請求項１乃至５のいずれかに記載の被取付け物の取付け部であって、前記止めピンは、前記止めピンが配置されるピン収納孔の周縁に係合する肩部を有する有底の中空ピンの形態を有し、前記中空ピンの中空部にばねが配置され、前記ピン孔のピン突出側とは反対側の開口には前記ばねを圧縮するようにばね抑えが取付けられていることを特徴とする被取付け物の取付け部。
【発明の詳細な説明】
【技術分野】
【０００１】
本発明は、摘み、タオル掛け、吊掛けフックの如き物体を掛け止める懸吊物の支持基部の如き種々の被取付け物を戸板、壁板の如き取付け物体に取り付ける被取付け物の取付け部の改良に関するものである。
【背景技術】
【０００２】
例えば、タオル掛けのアームを壁板に揺動自在に取り付けたり、摘みを戸板に取り付けたりするために、壁板や戸板に固定された台座にアームの支持基部や摘みの本体の如き被取付け物を被せて固定することが行われている。
【０００３】
タオル掛けを例に掲げて説明すると、タオル掛けのアームは、壁板にねじ止め等によって固定される円筒形台座にタオル掛けの冠状支持基部を被せて固定されるが、この冠状支持基部は、その外周面に設けられたねじ貫通孔を貫通するねじを円筒形台座に設けられたねじ孔にねじ込んで固定されている（特許文献１参照）。
【０００４】
しかし、このような構造では、台座のねじ孔は、冠状支持基部によって隠れるために、冠状支持基部を貫通するねじを台座のねじ孔に確実に位置合わせすることが難しく、ねじのねじ孔へのねじ込み作業が面倒であり、またねじの頭が外部に露呈するので、冠状支持基部の外観が悪くなる欠点があった。
【０００５】
【特許文献１】意匠登録第９５０３０６号公報
【発明の開示】
【発明が解決しようとする課題】
【０００６】
本発明が解決しようとする１つの課題は、面倒なねじの位置合わせを必要とすることなく被取付け物を台座に容易に固定することができる被取付け物の取付け部を提供することにある。
【０００７】
本発明が解決しようとする他の課題は、ねじの露呈等のように外観を損なうことなく被取付け物を台座に取り付けることができる被取付け物の取付け部を提供することにある。
【課題を解決するための手段】
【０００８】
本発明の基本的な課題解決手段は、取付け物体に取り付けられ被取付け物が被せられる台座と被取付け物を台座に固定する固定手段とを備えた被取付け物の取付け部において、固定手段は、台座の内部に設けられ台座の外周面から突出するようにばね付勢された止めピンと、被取付け物に形成され止めピンが係入する係入部と、被取付け物が台座に被せられる際に止めピンをばね付勢に抗して引っ込めるように案内する案内傾斜面とから成っていることを特徴とする物体支持物の取付け部を提供することにある。
【０００９】
本発明の基本的な課題解決手段において、止めピンが係入する係入部は、貫通孔であるのが好ましい。
【００１０】
また、台座及び被取付け物の相互に係合する面は円周面であり、止めピンは、この台座の円周面を径方向に横切って配置されている形態とすることができる。この場合、台座から突出している止めピンが被取付け物に入り込むのを阻止する壁部があり、案内傾斜面は、壁部と係入部との間の内面に設けることができ、またこの案内傾斜面は、係入部に整列した位置に設けることができる。
【００１１】
また、本発明の基本的な課題解決手段において、止めピンは、この止めピンが配置されるピン収納孔の周縁に係合する肩部を有する有底の中空ピンの形態を有し、中空ピンの中空部にばねが配置され、ピン孔のピン突出側とは反対側の開口にはばねを圧縮するようにばね抑えが取り付けられているものとすることができる。
【発明の効果】
【００１２】
本発明によれば、上記のように、台座の外周面から突出するようにばね付勢された止めピンを被取付け物の案内傾斜面に合わせて被取付け物を台座に被せるだけで止めピンがばねに抗して引っ込められながら被取付け物内に相対的に入り込んで係入部に係入し、従って被取付け物を台座に被せるだけで被取付け物をワンタッチで取付け物体に取り付けることができ、従来技術のように被取付け物によって隠れるねじ孔に位置合わせする面倒な作業やねじ込み作業を必要とすることなく、被取付け物の取付け作業が容易となる。
【００１３】
また、被取付け物を台座に固定する固定手段である止めピン及びその傾斜案内面は、被取付け物の内部に隠れるので外観を損なうことがなく、外観の良好な取付け部を得ることができる。
【００１４】
特に、台座及び被取付け物の相互に係合する面は円周面であり、止めピンは、この台座の円周面を径方向に横切って配置されている形態とし、案内傾斜面が台座から突出している止めピンが被取付け物に入り込むのを阻止する壁部と係入部との間に設けられていると、被取付け物を台座に被せて止めピンが案内傾斜面に一致するまで被取付け物を回すだけで止めピンを案内傾斜面に整列させて止めピンを係入部に容易に係入することができ、被取付け物の取付けが容易となる。
【００１５】
特に、この案内傾斜面が係入部に整列していると、止めピンが案内傾斜面を探知した後は、被取付け物をそのまま真っ直ぐに嵌め込むだけで止めピンを係入部に係入することができるので、取付け操作が一層容易となる。
【発明を実施するための最良の形態】
【００１６】
本発明の実施の形態を図面を参照して詳細に述べると、図１は、本発明の被取付け物の取付け部の一例が示されており、この例では、被取付け物１２は、摘みであり、取付け物体１４は、戸板１４Dであるのが示されているが、本発明は、タオル掛けや吊掛け用フックの如き懸吊物の支持基部の取付けにも適用することができる。
【００１７】
本発明の被取付け物の取付け部１０は、図２に示されており、この取付け部１０は、取付け物体１４である戸板１４Dに取り付けられて被取付け物（摘み本体）１２が被せられる台座１６と、被取付け物１２を台座１６に固定する固定手段１８とを備えている。図示の形態では、被取付け物１２及び台座１６は、外周面が略円形であるのが示されているが、これらは、正方形、矩形又は多角形であってもよい。また、被取付け物１２及び台座１６は、通常金属製であるが、プラスティックその他の適宜の材質とすることができる。
【００１８】
台座１６は、図３乃至図５に示すように、浅い変形円筒の台座本体１６Ｂとこの台座本体１６Ｂの開口付近に一体に形成されたフランジ１６Fとから成っており、フランジ１６Fには台座１６を戸板１４Dにねじ止めするためのねじ貫通孔２０、２０’が相対して設けられている。
【００１９】
図３から解るように、台座本体１６Ｂは、ねじ貫通孔２０、２０’に図示しないねじをねじ込むドライバの如き工具を操作しやすいように半円形にへこませて形成された相対する凹壁１６ＢＲ、１６ＢＲ’を有する。
【００２０】
被取付け物１２は、図７及び図８に示すように、冠状の形態を有し、その内部には台座１６のフランジ１６Ｆが嵌まり込む大径内面部１２Ｌと台座１６の台座本体１６Ｂが嵌まり込む小径内面部１２Ｓとを有する。なお、これらの大小の内面部１２Ｌと１２Ｓとの間の肩部１２Ｍには台座１６のフランジ１６Ｆとの間に挟み込まれるＯリングの如き弾性部材２２が係入する凹部１２Ｒを有する。
【００２１】
固定手段１８は、台座本体１６Ｂの浅い円筒部の底部(開口と反対側の閉じられた部分)内を径方向に横切って延びるピン収納孔２４(図５（Ｃ）参照)内に配置され台座本体１６Ｂの外周面から突出するようにばね付勢された止めピン２６と、被取付け物１２に形成され止めピン２６が係入する貫通孔の形態の係入部３２（図７参照）と、被取付け物１２が台座１６に被せられる際に止めピン２６をばね付勢に抗して引っ込めるように案内する案内傾斜面３４（図６、図７参照）とから成っている。
【００２２】
更に詳細に述べると、止めピン２６は、図９に示すように、ピン収納孔２４の周縁２４ｅ(図５（Ｃ）参照）に係合する肩部２６Ｓを有する有底の中空ピンの形態を有し（図４も参照）、この中空ピンの閉じた先端側に係入部３２に係入する小径ピン部２６Ｔを有し、また中空ピンの中空部２６Ｈにばね２８が配置され、ピン収納孔２４のピン突出側とは反対側の開口２４Ｈにはこのばね２８を圧縮するようにばね抑え３０がねじ込みによって取り付けられる（図４参照）。
【００２３】
図４に示すように、止めピン２６の中空部２６Ｈの開口端とばね抑え３０との間にばね２８を圧縮しながら止めピン２６が係入部３２から引っ込むのに充分な間隔が設けられている。
【００２４】
図示の例では、被取付け物１２の係入部３２は、被取付け物１２の周壁を同じ大きさで貫通している貫通孔の形態を有し、この係入部３２の貫通部分の開口は、被取付け物１２を台座１６から取り外す際に止めピン２６をばね２８に抗して係入部３２から引っ込める治具を挿入するのに用いられる。なお、この開口は、治具を挿入することができる程度の大きさでよく、従ってこの開口の大きさは止めピン２６が係入する部分の径と同じでなくそれよりも小さくしてもよい。
【００２５】
案内傾斜面３４は、図６乃至図８に示すように、被取付け物１２の冠状の軸線に平行な線に沿って係入部３２に整列（一致）した位置で小径内面部１２Ｓの開口部分から奥に向けて次第に径方向の内向きに傾斜するように形成されている。従って、この案内傾斜面３４に止めピン２６を合わせて被取付け物１２を台座１６に被せると、止めピン２６は、この案内傾斜面３４に沿ってばね２８を圧縮して台座１６内に内向きに引っ込められながら台座１６と共に被取付け物１２内に相対的に入り込み、被取付け物１２が台座１６に完全に被せられた時に、止めピン２６が係入部３２に対向するので、止めピン２６は、ばね２８によって台座１６から突出して被取付け物１２の係入部３２に係入して被取付け物１２を台座１６に固定する。
【００２６】
既に述べたように、この被取付け物１２を台座１６から取り外すために、ドライバ等の適宜の治具を貫通孔の形態の係入部３２の開口から突き入れて止めピン２６を係入部３２から引っ込ませ、この状態を維持しながら被取付け物１２を台座１６から抜き出せばよい。
【００２７】
このように、台座１６の外周面から突出する止めピン２６を被取付け物１２の案内傾斜面３４に合わせて被取付け物１２を台座１６に被せるだけで止めピン２６がばね２８に抗して引っ込められながら被取付け物１２内に相対的に入り込んで被取付け物１２の係入部３２に係入するので、被取付け物１２を台座１６にワンタッチで取り付けることができる。これは、従来技術のように被取付け物によって隠れるねじ孔に位置合わせする面倒な作業やねじ込み作業を必要とすることがなく、被取付け物１２の取付け作業を容易にする。
【００２８】
図示のように、台座１６及び被取付け物１２の相互に係合する面が円周面である場合、被取付け物１２の案内傾斜面３４を台座１６の周面から突出する止めピン２６に位置合わせすることなく被せると、大小の内径部１２Ｌ、１２Ｓの間の肩部１２Ｓが止めピン２６の壁部となって被取付け物１２をそれ以上の深く被せることができないが、被取付け物１２を回すと、その案内傾斜面３４が止めピン２６に一致した位置で止めピン２６が案内傾斜面３４に沿って引っ込められながら被取付け物１２を更に深く被せることができ、従って、案内傾斜面３４を止めピン２６に位置合わせすることなくて被せても被取付け物１２を取り付けることができる。なお、係入部３２を案内傾斜面に整列して設けると、案内傾斜面３４粗って引っ込められた止めピン２６は、被取付け物１２をそのまま直線的に被せるだけで係入部３２に係入させることができるので好ましい。
【００２９】
また、被取付け物１２が台座に固定された状態では、止めピン２６及びその案内傾斜面３４は、被取付け物１２の内部に隠れるので外観を損なうことがない。
【００３０】
なお、図示の形態では、案内傾斜面３４が被取付け物１２の肩部(壁部)１２Ｓを有する位置に設けられているが、肩部１２Ｓと係入部３２との間の内面、例えば、図１０に示すように、係入部３２に寄った側の内面に設けられていてもよい。また、この案内傾斜面は、被取付け物の内面ではなく、止めピン２６の先端面に設けられていてもよい。この場合には、被取付け物１２を台座１６に被せると、止めピン２６は、その案内傾斜面によって被取付け物１２の肩部１２Ｓを乗り越えて引っ込められ、被取付け物１２が充分に深く被せられた状態で被取付け物１２をまわすと、止めピン２６が係入部３２に一致した位置で止めピン２６がこの係入部３２に係入して被取付け物１２が固定される。
【００３１】
また、図示の形態では、止めピン２６が係入する係入部３２は、貫通孔であったが、この係入部３２は、へこみであってもよい。但し、係入部３２が貫通孔の形態であると、止めピン２６を係入部３２から引っ込めるための治具を挿入することができるので有利である。
【産業上の利用可能性】
【００３２】
本発明は、被取付け物を台座に被せるだけの簡単な操作で被取付け物を台座にワンタッチで固定することができ、従って取付け作業が容易であり、摘み、タオル掛け、懸吊用のフックの取付けに好適に適用することができ、産業上の利用性が高い。
【図面の簡単な説明】
【００３３】
【図１】本発明に係わる被取付け物の取付け部の使用状態を示し、同図（Ａ）は、その側面図、同図（Ｂ）は、その正面図である。
【図２】図１（Ｂ）のＩＩ−ＩＩ線拡大断面図である。
【図３】図１の取付け部に用いられる台座と止めピンの組立て状態を示し、同図（Ａ）は、その側面図、同図（Ｂ）は、その正面図である。
【図４】図３(Ｂ)のＶＩ−ＶＩ線断面図である。
【図５】図１の取付け部に用いられる台座を示し、同図（Ａ）は、その背面図、同図（Ｂ）は、その側面図、同図（Ｃ）は、その垂直断面図、同図（Ｄ）は、その水平断面図である。
【図６】図１の取付け部によって取り付けられるべき被取付け物の斜視図である。
【図７】図６の被取付け物の垂直断面図である。
【図８】図６の被取付け物の背面図である。
【図９】図１の被取付け物の取付け部に用いられる止めピンとばねとの分解図である。
【図１０】図７と同様の図であるが、案内傾斜面の位置を変えた他の形態の被取付け物の垂直断面図である。
【符号の説明】
【００３４】
１０  被取付け物の取付け部
１２  被取付け物
１２Ｒ  凹部
１２Ｓ  小径内面部
１２Ｌ  大径内面部
１２Ｍ  肩部
１４  取付け物体
１４Ｄ  戸板
１６  台座
１６Ｂ  台座本体
１６ＢＲ、１６ＢＲ’ 相対する凹壁
１６Ｆ  フランジ
１８  固定手段
２０、２０’  ねじ貫通孔
２２  Ｏリングの如き弾性部材
２４  ピン収納孔
２４Ｈ  開口
２４ｅ  ピン収納孔の縁
２６  止めピン
２６Ｓ  肩部
２６Ｔ  小径ピン部
２６Ｈ  中空部
２８  ばね
３０  ばね抑え
３２  係入部
３４  案内傾斜面
【図１】
2006029425.tif 000003
【図２】
2006029425.tif 000004
【図３】
2006029425.tif 000005
【図４】
2006029425.tif 000006
【図５】
2006029425.tif 000007
【図６】
2006029425.tif 000008
【図７】
2006029425.tif 000009
【図８】
2006029425.tif 000010
【図９】
2006029425.tif 000011
【図１０】
2006029425.tif 000012